(57)【要約】  本発明は、脚でボールゲームを行うためのゲームテーブル（２）およびゲーム装置（６）に関する。ゲームテーブル（２）は、シースルーテーブル上面を有するテーブルトップ構造（２０）を含む。テーブルトップ構造（２０）は、第１テーブルトップ端部（２７）および第２テーブルトップ端部（２９）と、第１テーブルトップ端部（２７）および第２テーブルトップ端部（２９）の間に延びる第１テーブルトップ側部（２４）および第２テーブルトップ側部（２６）と、を有する。ゲームテーブル（２）は、さらに、テーブルトップ構造（２０）から下方に延びる第１テーブル側壁（３０）および第２テーブル側壁（３２）を含む。第１テーブル側壁（３０）および第２テーブル側壁（３２）は、テーブルトップ構造（２０）とともにチャネル状のゲーム空間（１００）を形成するよう配置される。チャネル状のゲーム空間（１００）は、チャネル状のゲーム空間（１００）の両端に設けられた第１開口部（１０２）および第２開口部（１０４）を有する。
2021508573.tif 000002
【特許請求の範囲】
【請求項１】
脚でボールゲームを行うことにより運動するためのゲームテーブル（２）であって、
シースルーテーブル上面を備え、第１テーブルトップ端部（２７）と、第２テーブルトップ端部（２９）と、第１テーブルトップ側部（２４）と、第２テーブルトップ側部（２６）と、を有し、前記第１および第２テーブルトップ側部（２４，２６）が、前記第１および第２テーブルトップ端部（２７，２９）の間に延びるテーブルトップ構造（２０）、および、
前記テーブルトップ構造（２０）から下方に延びた第１テーブル側壁構造（３０）および前記テーブルトップ構造（２０）から下方に延びた第２テーブル側壁構造（３２）、
を備えたゲームテーブルにおいて、
前記第１および第２テーブル側壁構造（３０，３２）は、前記テーブルトップ構造（２０）とともにチャネル状のゲーム空間（１００）を形成するように配置され、
前記チャネル状のゲーム空間（１００）は、前記チャネル状のゲーム空間（１００）の両端の第１開口部（１０２）および第２開口部（１０４）を有し、
前記シースルーテーブル上面は、前記チャネル状のゲーム空間（１００）にシースルー構造を設けるよう配置された、
ゲームテーブル（２）。
【請求項２】
前記テーブルトップ構造（２０）は、
前記シースルーテーブル上面を形成するよう配置された１つ以上のテーブルトップ開口部と、
透明材料で形成され、前記シースルーテーブル上面を形成するよう配置された固形テーブル上壁（２１、２２）と、
複数の網目を有し、前記シースルーテーブル上面を形成するよう配置されたネット状のテーブル上壁と、
のうちの少なくともいずれか１つを含み、
前記シースルーテーブル上面は、前記ゲーム空間（１００）へのシースルー構造を提供するよう配置される、
請求項１に記載のゲームテーブル（２）。
【請求項３】
前記テーブルトップ構造（２０）は、
前記第１テーブルトップ側部を形成し、前記第１テーブルトップ端部（２７）と前記第２テーブルトップ端部（２９）との間に延びる第１テーブルトップ側部支持部（２４）と、
前記第２テーブルトップ側部を形成し、前記第１テーブルトップ端部（２７）と前記第２テーブルトップ端部（２９）との間に延びる第２テーブルトップ側部支持部（２６）と、
を含み、
前記テーブル上壁（２１、２２）は、前記第１テーブルトップ側部支持部（２４）および前記第２テーブルトップ側部支持部（２６）に支持される、
または、
前記テーブルトップ構造（２０）は、
前記第１テーブルトップ側部を形成し、前記第１テーブルトップ端部（２７）と前記第２テーブルトップ端部（２９）との間に延びる第１テーブルトップ側部支持部（２４）、および前記第２テーブルトップ側部を形成し、前記第２テーブルトップ端部（２７）と前記第２テーブルトップ端部（２９）との間に延びる第２テーブルトップ側部支持部（２６）と、
前記第１テーブルトップ端部（２７）を形成し、前記第１テーブルトップ側部（２４）と前記第２テーブルトップ側部（２６）との間に延びる第１テーブルトップ端部支持部（１６）、および前記第２テーブルトップ端部を形成し、前記第１テーブルトップ側部（２４）と前記第２テーブルトップ側部（２６）との間に延びる第２テーブルトップ端部支持部（１７）と、
を含み、
前記テーブル上壁（２１、２２）は、前記第１テーブルトップ端部支持部（１６）および前記第２テーブルトップ端部支持部（１７）に、および前記第１テーブルトップ側部支持部（２４）および前記第２テーブルトップ側部支持部（２６）に、支持される、
請求項１または２に記載のゲームテーブル（２）。
【請求項４】
前記第１テーブル側壁構造（３０）および前記第２テーブル側壁構造（３２）のうち少なくとも１つは、
透明材料または非透明材料で形成され、前記ゲーム空間（１００）のテーブル側壁表面を形成するよう配置された固形テーブル側壁（３０、３２）、または、
複数の網目を有し、前記ゲーム空間（１００）のテーブル側壁表面を形成するよう配置されたネット状テーブル側壁（３０、３２）、
を含む、
請求項１から３のいずれか１項に記載のゲームテーブル（２）。
【請求項５】
前記第１テーブル側壁（３０）および前記第２テーブル側壁（３２）のうちの少なくとも１つは、
剛性材料、または、
可撓性材料、または、
弾性材料、
で形成される、
請求項４に記載のゲームテーブル（２）。
【請求項６】
前記第１および前記第２テーブル側壁構造（３０，３２）は、前記テーブルトップ構造（２０）から下方に延びるテーブル支持脚（１２、１４）を含む、
または、
前記第１および前記第２テーブル側壁構造（３０，３２）は、前記テーブルトップ構造（２０）から下方に延びるテーブル支持脚（１２、１４）を含み、
前記第１および前記第２テーブル側壁構造（３０，３２）は、前記テーブル支持脚（１２、１４）それぞれ、第１および第２テーブルトップ端部（２７，２９）により前記第１および前記第２開口部（１０２，１０４）を画定するよう、第１および第２テーブルトップ端部（２７，２９）に連結されて設けられた１つのテーブル支持脚（１２、１４）を含む、
請求項１から５のいずれか１項に記載のゲームテーブル（２）。
【請求項７】
前記第１前記第２テーブル側壁（３０，３２）はそれぞれ、前記テーブル支持脚（１２、１４）に連結され、前記第１および前記第２テーブル側壁（３０，３２）は、前記チャネル状のゲーム空間（１００）のテーブル側壁表面を形成する、
または、
前記第１および前記第２テーブル側壁（３０，３２）はそれぞれ、前記テーブル支持脚（１２、１４）に、および前記第１および前記第２テーブルトップ側部支持部（２４，２６）に連結され、前記第１および前記第２テーブル側壁（３０，３２）は、前記チャネル状のゲーム空間（１００）のテーブル側壁表面を形成する、
請求項６に記載のゲームテーブル（２）。
【請求項８】
前記ゲームテーブル（２）は、
前記テーブルトップ構造（２０）に連結されて設けられた第１テーブル端部フレーム（１２、１４、１６、１８）であって、前記ゲーム空間（１００）の前記第１開口部（１０２）を画定するＵ字状の形状を有し、前記テーブル支持脚（１２、１４）および前記第１テーブルトップ端部（２７）を形成するよう配置された第１テーブル端部フレーム（１２、１４、１６、１８）と、
前記テーブルトップ構造（２０）に連結されて設けられた第２テーブル端部フレーム（１２、１４、１６、１８）であって、前記ゲーム空間（１００）の前記第２開口部（１０４）を画定するＵ字状の形状を有し、前記テーブル支持脚（１２、１４）および前記第２テーブルトップ端部（２９）を形成するよう配置された第２テーブルトップ端部フレーム（１２、１４、１６、１８）と、
を含む、
または、
前記ゲームテーブル（２）は、
前記テーブルトップ構造（２０）に連結されて設けられた第１テーブル端部フレーム（１２、１４、１６、１８）であって、前記ゲーム空間（１００）の前記第１開口部（１０２）を画定する円周形状を有し、前記テーブル支持脚（１２、１４）および前記第１テーブルトップ端部（２７）を形成するよう配置された第１テーブル端部フレーム（１２、１４、１６、１８）と、
前記テーブルトップ構造（２０）に連結されて設けられた第２テーブル端部フレーム（１２、１４、１６、１８）であって、前記ゲーム空間（１００）の前記第２開口部（１０４）を画定する円周形状を有し、前記テーブル支持脚（１２、１４）および前記第２テーブルトップ端部（２９）を形成するよう配置された第１テーブル端部フレーム（１２、１４、１６、１８）と、
を含む、
請求項１から７のいずれか１項に記載のゲームテーブル（２）。
【請求項９】
前記チャネル状のゲーム空間（１００）の底面を形成する底面構造（９０）、または、
前記チャネル状のゲーム空間（１００）の底面を形成し、底壁を含む底面構造（９０）、または、
前記チャネル状のゲーム空間（１００）の底面を形成する底面構造（９０）であって、前記テーブル側壁（３０、３２）が連結された底面構造（９０）、
を含む、
請求項１から７のいずれか１項に記載のゲームテーブル（２）。
【請求項１０】
脚でボールゲームを行うことにより運動するためのゲーム装置（６）であって、
シースルーテーブル上面を備え、第１テーブルトップ端部（２７）と、第２テーブルトップ端部（２９）と、第１テーブルトップ側部（２４）と、第２テーブルトップ側部（２６）と、を有し、前記第１および第２テーブルトップ側部（２４，２６）は、前記第１および第２テーブルトップ端部（２７，２９）の間に延びるテーブルトップ構造（２０）と、前記テーブルトップ構造（２０）から下方に延びる第１テーブル側壁構造（３０）および前記テーブルトップ構造（２０）から下方に延びる第２テーブル側壁構造（３２）と、を含むゲームテーブル（２）、
を備えたゲーム装置（６）において、
前記第１および第２テーブル側壁構造（３０，３２）は、前記テーブルトップ構造（２０）とともにチャネル状のゲーム空間（１００）を形成するように配置され、前記チャネル状のゲーム空間（１００）は、前記チャネル状のゲーム空間（１００）の両端の第１開口部（１０２）および第２開口部（１０４）を有し、
前記シースルーテーブル上面は、前記チャネル状のゲーム空間（１００）へのシースルー構造を提供するよう配置され、
前記ゲーム装置（６）は、前記チャネル状のゲーム空間（１００）の前記第１開口部（１０２）に連結して配置された第１シート（４）と、前記チャネル状のゲーム空間（１００）の前記第２開口部（１０４）に連結して配置された第２シート（５）と、を含む、
ゲーム装置（６）。
【請求項１１】
前記第１および前記第２シート（４，５）は、
座面を形成するよう配置されたシートトップ構造（７０）であって、第１シートトップ端部（７４）と、第２シートトップ端部（７６）と、第１シートトップ側部（７１）と、第２シートトップ側部（７３）と、を有するシートトップ構造（７０）と、
前記シートトップ構造（７０）から下方に延びる第１シート側壁（８２）と、前記シートトップ構造（７０）から下方に延びる第２シート側壁（８４）と、前記シートトップ構造（７０）から下方に延びるシート後壁（８０）と、
を含み、
前記第１および前記第２シートトップ側部（７１，７３）は、前記第１および前記第２シートトップ端部（７４，７６）の間に延び、前記第１シートトップ端部（７４）は前記チャネル状のゲーム空間（１００）に向かって配置され、
前記第１および前記第２シート側壁（８２，８４）は、前記シートトップ構造（７０）および前記シート後壁（８０）とともにゴール空間（１１０）を形成するよう配置され、前記ゴール空間（１１０）は前記チャネル状のゲーム空間（１００）に向かってゴール開口部（１１２）を有する、
請求項１０に記載のゲーム装置（６）。
【請求項１２】
前記第１および前記第２シート（４，５）は、前記シートトップ構造（７０）の下に配置されるシート底面構造（９１、９２、９３、９４）を含み、
前記シート底面構造（９１、９２、９３、９４）は、上向きに立ち上がる表面（９２、９４）を含む、
または、
前記第１および前記第２シート（４，５）は、前記シートトップ構造（７０）の下に配置されるシート底面構造（９１、９２、９３、９４）を含み、
前記シート底面構造（９１、９２、９３、９４）は、前記シートトップ構造（７０）の下、および前記シート側壁（８２、８４）の間に延びるシート底壁（９１、９３）を含み、
前記シート底壁（９１、９３）は、上向きに立ち上がる表面（９２、９４）を含む、
請求項１０または１１に記載のゲーム装置（６）。
【請求項１３】
脚部開口部（１０６）が、前記第１および前記第２シート（４，５）の前記シートトップ構造（７０）と前記チャネル状のゲーム空間（１００）の両端に配置された前記テーブルトップ構造（２０）との間に配置されるように、前記チャネル状のゲーム空間（１００）の前記第１および前記第２開口部（１０２，１０４）の高さは、前記第１および前記第２シート（４，５）の高さよりも高い、
請求項１０から１２のいずれか１項に記載のゲーム装置（６）。
【請求項１４】
前記第１および前記第２シート（４，５）は、前記ゲームテーブル（２）に連結されるまたは固定される、
または、
前記第１および前記第２シート（４，５）は前記ゲームテーブル（２）に機械的に連結されるまたは固定される、
または、
前記第１および前記第２シート（４，５）は、前記ゲームテーブル（２）に解放可能に連結されるまたは固定される、
または、
前記ゲーム装置（６）は、前記ゲームテーブル（２）に前記第１および前記第２シート（４，５）を固定するための機械的固定要素（５０、５２、５３、５４、５５、５６）を含む、
請求項１０から１３のいずれか１項に記載のゲーム装置（６）。
【請求項１５】
前記ゲームテーブル（２）は、請求項１から９のいずれか１項に記載のゲームテーブルである、
請求項１０から１４のいずれか１項に記載のゲーム装置（６）。
【発明の詳細な説明】
【技術分野】
【０００１】
本発明は、脚でボールゲームを行うことにより運動するためのゲームテーブル、特に、請求項１の前文にかかるゲームテーブルに関する。本発明はさらに、脚でボールゲームを行うことにより運動するためのゲーム装置、特に、請求項１０の前文にかかるゲーム装置に関する。
【背景技術】
【０００２】
ボールゲームを行うことにより運動するための多くの室内用ゲーム装置がある。しかし、既知の室内用ゲーム装置は、手を使って遊ぶゲームに限定されている。これは主に、室内でボールゲームを行うには広い空間が必要であり、危険である可能性があると想定されているという理由によるものである。同時に、脚をエクササイズするための室内運動装置には、計画的で反復的な体力トレーニングのために設計されたエクササイズマシンのみが含まれている。さらに、脚の可動性が制限されている人々、または脚でボールゲームをしている間に立ち上がった状態で自身を保持する能力に制限がある人々のためのボールゲームを行うことにより運動するためのゲーム装置が存在しない。
【０００３】
したがって、特に室内用の、脚でボールゲームを行うための新しい種類の運動装置が必要とされている。
【発明の概要】
【０００４】
本発明の目的は、先行技術の欠点を解決するまたは少なくとも軽減するための運動装置を提供することである。
【０００５】
本発明の目的は、独立請求項１に記載されていることを特徴とするゲームテーブルにより達成される。本発明の目的はまた、独立請求項１０に記載されていることを特徴とするゲーム装置により達成される。
【０００６】
本発明の好ましい実施の形態は、従属請求項に開示されている。
【０００７】
本発明は、脚でボールゲームを行うことにより運動するためのゲームテーブルを提供するという考えに基づいている。テーブルは、従来、テーブル脚のような直立支持構造により床または地面から所定の高さで支持されるテーブル上面を含むことに留意されたい。
【０００８】
本発明のゲームテーブルは、シースルーテーブル上面を有するテーブルトップ構造を備える。シースルーテーブル上面とは、ゲームテーブルの上部から、テーブル上面をテーブル上面の下面まで視覚的に透かして見ることができるということを意味する。テーブルトップ構造はさらに、第１テーブルトップ端部および第２テーブルトップ端部を有し、同様に、第１テーブルトップ側部および第２テーブルトップ側部を有する。第１テーブルトップ側部および第２テーブルトップ側部は、第１テーブルトップ端部および第２テーブルトップ端部の間に延びる。したがって、シースルーテーブル上面は、第１テーブルトップ端部および第２テーブルトップ端部と第１テーブルトップ側部および第２テーブル上トップ側部との間の領域に設けられる。ゲームテーブルは、さらに、テーブルトップ構造から下方に延びる第１テーブル側壁構造と、同様にテーブルトップ構造から下方に延びる第２テーブル側壁構造とを含む。第１テーブル側壁構造および第２テーブル側壁構造は、テーブル上面から床または地面に向かって下方に延びるテーブル側壁を含む。したがって、第１テーブル側壁構造および第２テーブル側壁構造はまた、ゲームテーブルおよびテーブルトップ構造に対して直立支持を提供してもよい。
【０００９】
本発明のゲームテーブルにおいて、第１テーブル側壁構造および第２テーブル側壁構造は、テーブルトップ構造とともに、チャネル状のゲーム空間を形成するよう配置される。チャネル状のゲーム空間は、チャネル状のゲーム空間の両端に第１開口部および第２開口部を有する。したがって、テーブルトップ構造は、チャネル状のゲーム空間の上壁を形成し、テーブル側壁構造は、チャネル状のゲーム空間の側壁を形成する。チャネル状のゲーム空間の底壁は、床または地面により形成されてもよく、ゲームテーブルの底壁構造により形成されてもよいことに留意されたい。さらに、第１テーブル壁構造および第２テーブル壁構造、即ち第１テーブル壁および第２テーブル壁は、それぞれ、チャネル状のゲーム空間がそれらの間に提供され得るよう互いに対向して配置される。
【００１０】
第１テーブル上壁構造および第２テーブル上壁構造は、ゲームテーブルを取り外しできるようにテーブルトップ構造に対して解放可能に連結または固定されてもよい。第１テーブル上壁構造および第２テーブル上壁構造は、任意の既知の種類の機械的連結および機械的連結要素を用いてテーブルトップ構造に対して解放可能に連結されてもよい。
【００１１】
テーブルトップ構造のシースルーテーブル上面は、チャネル状のゲーム空間にシースルー構造を提供するよう配置される。テーブル上面のシースルー構造は、チャネル状のゲーム空間の外側からおよび／またはチャネル状のゲーム空間の上方から、チャネル状のゲーム空間内の視認を可能にする。このため、人またはプレーヤーは、ゲームのプレイ中に、ボール、およびチャネル状のゲーム空間にいる他の人またはプレーヤーの脚も見ることができるようになる。
【００１２】
脚でボールゲームを行う人は、チャネル状のゲーム空間の対向する開口部および対向する端部に位置し、チャネル状のゲーム空間の外側にいる。実際のゲームは、チャネル状のゲーム空間内で、脚を使用して行われる。テーブルトップ構造およびテーブル側壁構造は、ボールがチャネル状のゲーム空間から脱出することを防ぎ、プレーヤーは、チャネル状のゲーム空間の両端の第１開口部および第２開口部を通して脚を使ってボールをプレイすることができる。したがって、チャネル状のゲーム空間の第１開口部および第２開口部により、ボールをプレイするために、脚をチャネル状のゲーム空間の内部にアクセスすることができる。さらに、シースルーテーブル上面により、プレーヤーがゲームテーブルの上方からチャネル状のゲーム空間の内部を視覚的に見ることができる。したがって、プレーヤーがチャネル状のゲーム空間の内部にいなくてもよい、または、チャネル状のゲーム空間の第１開口部および第２開口部を除かなくてもよいようにゲームをプレイすることが可能になる。
【００１３】
本発明の好ましい実施の形態において、第１テーブルトップ端部および第２テーブルトップ端部の間のテーブルトップ構造の長さは、第１テーブルトップ側部および第２テーブルトップ側部の間のテーブルトップ構造の幅よりも大きい。代替的にまたは追加的に、第１開口部および第２開口部の間のチャネル状のゲーム空間の長さは、第１テーブル側壁構造および第２テーブル側壁構造、または第１テーブル側壁および第２テーブル側壁の間のチャネル状のゲーム空間の幅よりも大きいと定義されてもよい。さらに代替的にまたは追加的に、第１側壁構造および第２側壁構造の間、または第１テーブルトップ側部および第２テーブルトップ側部の間の方向において、第１開口部および第２開口部の間のチャネル状のゲーム空間の長さは、第１開口部および第２開口部の幅と等しい、またはそれよりも大きい。ゲーム空間を適切な長さにすることにより、チャネル状のゲーム空間の両端にいるプレーヤーの脚が互いに離間するようにゲームをプレイすることができる。
【００１４】
一実施の形態において、上述の長さは、少なくとも上述の幅以上である。代替的に、言及された長さは、上述の幅の少なくとも１．２５倍以上、または上述の幅の１．５倍以上、または好ましくは、その幅の１．２５〜３倍の間、またはその幅の１．４〜２．５倍の間、または例えば、その幅の約２倍の大きさである。これにより、ゲームテーブルの両端にいるプレーヤーの脚が互いにぶつからないよう、脚に対して適切なゲーム空間を確保することができる。
【００１５】
ゲームテーブルの高さは、少なくとも５５ｃｍ、または少なくとも６５ｃｍ、または７５ｃｍ以上であってもよい。これは、テーブルトップ構造またはテーブル上面が床または地面から、またはゲームテーブルの底面構造または底壁からの上述の高さであるということを意味する。代替的に、チャネル状のゲーム空間の第１開口部および第２開口部の高さは、床、地面またはゲームテーブルの底面から、少なくとも５５ｃｍ、または少なくとも６５ｃｍ、または７５ｃｍ以上であってもよい。上述の高さにより、プレーヤーは、チャネル状のゲーム空間の第１開口部および第２開口部を通して脚を使ってゲームをプレイすることができる。
【００１６】
ゲームテーブルの幅は、少なくとも６０ｃｍ、または少なくとも７０ｃｍ、または９０ｃｍ以上、さらに９５ｃｍ以上であってもよい。これは、第１テーブル側壁構造および第２テーブル側壁構造、または第１テーブル側壁および第２テーブル側壁は、上述の幅または互いからの距離にあってもよいことを意味する。代替的に、チャネル状のゲーム空間の第１開口部および第２開口部の幅は、床、地面、またはゲームテーブルの底面から、少なくとも６０ｃｍ、または少なくとも７０ｃｍ、または９０ｃｍ以上であってもよい。上述の幅により、チャネル状のゲームスペースの幅方向において、脚のための適正な空間を確保することができる。
【００１７】
ゲームテーブルの長さは、少なくとも１００ｃｍ、または少なくとも１２０ｃｍ、または１４０ｃｍ以上、さらに１６０ｃｍ以上であってもよい。これは、テーブルトップ構造またはテーブル上面が上述の長さを有してもよい、または第１テーブルトップ端部および第２テーブルトップ端部が互いに上述の距離にあることを意味する。代替的に、チャネル状のゲーム空間の第１開口部および第２開口部の間の距離は、少なくとも１００ｃｍ、または少なくとも１２０ｃｍ、または１４０ｃｍ以上であってもよい。上述の長さにより、プレーヤーの脚の衝突を最小限に抑えるまたは防ぐように、プレーヤーは、チャネル状のゲーム空間の第１開口部および第２開口部を通して、脚を使ってゲームをプレイすることができる。
【００１８】
本発明の一実施の形態において、テーブルトップ構造は、テーブルトップ構造の上方から、ゲーム空間へシースルーテーブル上面を形成するよう配置された１つまたは複数のテーブルトップ開口部を含む。したがって、テーブルトップ構造は、プレーヤーがチャネル状のゲーム空間内を見ることができる１つまたは複数の観察開口部を含む。したがって、テーブルトップ構造は、シースルーテーブル上面を形成するよう配置された、１つまたは複数のテーブルトップ開口部を含み、シースルーテーブル上面は、ゲーム空間へのシースルー構造を提供するよう配置される。
【００１９】
別の実施の形態において、テーブルトップ構造は、透明材料により形成され、ゲーム空間の上壁面とテーブルトップ構造の上方からゲーム空間へのシースルーテーブル上面を形成するよう配置された固形テーブル上壁を含んでもよい。この実施の形態において、テーブルトップ上面は、剛性、または可撓性、または弾性の、透明の板材で形成される。透明の固形テーブル上壁は、例えば、ガラス、アクリル、プラスチック、テキスタイル、織布、不織布、またはいくつかの合成材料により形成されてもよい。したがって、テーブル上壁は、板材で形成されてもよい、または板状であってもよい。この文脈における透明性は、プレーヤーがプレイ中にチャネル状のゲーム空間の内部を見ることができる程度に固形テーブル上壁が透明であるということを意味する。したがって、テーブルトップ構造は、透明材料により形成され、シースルーテーブル上面を形成するよう配置された、固形または板状のテーブル上壁を含む。シースルーテーブル上面は、ゲーム空間内にシースルー構造を提供するよう配置される。
【００２０】
代替的な実施の形態において、テーブルトップ構造は、複数の網目（ｎｅｔ  ａｐｅｒｔｕｒｅｓ）を有し、ゲーム空間の上壁面およびテーブルトップ構造からゲーム空間へのシースルーテーブル上面を形成するよう配置される、ネット状またはメッシュ状のテーブル上壁を含んでもよい。この実施の形態では、プレーヤーは、網目を介してチャネル状のゲーム空間を見ることができる。ネット状またはメッシュ状のテーブル上面は、剛性、または可撓性、または弾性を有するように形成されてもよい。ネット状またはメッシュ状のテーブル上壁は、例えば、プラスチック、金属、木材、厚紙、テキスタイル材料、織布、不織布、またはいくつかの合成材料により形成されてもよい。したがって、テーブルトップ構造は、複数の開口を有し、シースルーテーブル上面を形成するよう配置されたネット状のテーブル上壁を含む。シースルーテーブル上面は、ゲーム空間に対するシースルー構造を提供するよう配置される。
【００２１】
一実施の形態において、テーブルトップ構造は、第１テーブルトップ側部を形成し、第１テーブルトップ端部と第２テーブルトップ端部との間に延びる第１テーブルトップ側部支持部と、第２テーブルトップ側部を形成し第１テーブルトップ端部と第２テーブルトップ端部との間に延びる第２テーブルトップ側部支持部とを含む。テーブル上壁は、第１テーブルトップ側部支持部および第２テーブルトップ側部支持部に支持されてもよい。テーブルトップ側部支持部は、テーブル上壁を支持してもよい。したがって、テーブルトップ構造は、取り外し可能な構造として提供されてもよい。
【００２２】
代替的な実施の形態において、テーブルトップ構造は、第１テーブルトップ側部を形成し第１テーブルトップ端部と第２テーブルトップ端部との間に延びる第１テーブルトップ側部支持部と、第２テーブルトップ側部を形成し、第１テーブルトップ端部と第２テーブルトップ端部との間に延びる第２テーブルトップ側部支持部と、を含んでもよい。テーブルトップ構造は、さらに、第１テーブルトップ端部を形成し、第１テーブルトップ側部と第２テーブルトップ側部との間に延びる第１テーブルトップ端部支持部と、第２テーブルトップ端部を形成し、第１テーブルトップ側部と第２テーブルトップ側部との間に延びる第２テーブルトップ端部支持部と、を含んでもよい。テーブル上壁は、第１テーブルトップ端部支持部および第２テーブルトップ端部支持部と、第２テーブルトップ側部支持部および第２テーブルトップ側部支持部と、に支持される。この実施の形態において、テーブル上壁は、すべての方向から支持されてもよく、テーブルトップ構造の構造およびゲームテーブルは、頑丈で取り外し可能に提供されてもよい。したがって、テーブルトップ構造は、第１テーブルトップ側部支持部および第２テーブルトップ側部支持部と第１テーブルトップ端部支持部および第２テーブルトップ端部支持部とにより形成されるテーブルトップフレームを含んでもよい。
【００２３】
第１テーブル側壁構造および第２テーブル側壁構造は、透明または非透明の材料により形成され、チャネル状のゲーム空間の側壁表面を形成するよう配置された、固形の側壁を含んでもよい。テーブル側壁は、例えば、ガラス、アクリル、金属、木材、厚紙、プラスチック、テキスタイル材料、またはいくつかの合成材料により形成されてもよい。テーブル側壁は非透明であってもよいが、好ましい実施の形態においては、観客がテーブル側壁構造を通してゲームを見ることができるよう透明であってもよい。この文脈における透明性は、観客がテーブル側壁を通してチャネル状のゲーム空間の内部を見ることができる程度に固形テーブル側壁が透明であることを意味する。
【００２４】
代替的な実施の形態において、第１テーブル側壁構造および第２テーブル側壁構造は、複数の網目を有し、チャネル状のゲーム空間の側壁表面およびチャネル状のゲーム空間へのシースルーテーブル側壁を形成するよう配置された、ネット状のまたはメッシュ状の側壁を含んでもよい。この実施の形態では、観客は、テーブル側壁の網目を介してチャネル状のゲーム空間を見ることができる。ネット状またはメッシュ状のテーブル側壁は、例えば、プラスチック、金属、木材、厚紙、テキスタイル材料、またはいくつかの合成材料により形成されてもよい。
【００２５】
テーブル側壁は、ゲームテーブルからそれらを取り外すことができるよう、取り外し可能（ｄｅｔａｃｈａｂｌｅ）または除去可能（ｒｅｍｏｖａｂｌｅ）に提供されてもよい。取り外し可能な構造は、機械的ファスナ（ｍｅｃｈａｎｉｃａｌ  ｆａｓｔｅｎｅｒｓ）、クイック接続（ｑｕｉｃｋ  ｃｏｎｎｅｃｔｉｏｎ）、ねじ（ｓｃｒｅｗｓ）、フィン（ｆｉｎｓ）、ベルクロ（登録商標）接続（Ｖｅｌｃｒｏ−ｃｏｎｎｅｃｔｉｏｎ）などを使用する任意の既知の方法で提供されてもよい。
【００２６】
追加的にまたは代替的に、チャネル状のゲーム空間の側壁を部分的にまたは完全に開くために、テーブル側壁を、持ち上げる（ｒａｉｓｅｄ）、または上昇させる（ｕｐｌｉｆｔｅｄ）、または下げる（ｌｏｗｅｒ  ｄｏｗｎ）、または側面に近づける（ｄｒａｗｎ  ｔｏ  ｓｉｄｅ）よう配置される。例えば、テーブル側壁が可撓性材料または弾性材料により形成されている場合、テーブル側壁は、下端から持ち上げられてもよく、および丸められるまたは一緒に集められてもよく、および一緒に集められた形でテーブル側壁構造またはテーブルトップ構造の上部、例えば、側壁を開いたままにするためのテーブルトップ側部支持部に取り付けられてもよい。代替的に、テーブル側壁は、上端から下げられてもよく、および丸められるまたは一緒に集められてもよく、および一緒に集められた形でテーブル側壁構造または底部構造またはテーブル底壁の下部、例えば、側壁を開いたままにするためにテーブル底壁の側端に取り付けられてもよい。さらに代替的に、テーブル側壁は、横向きに移動してもよく、および丸められてまたは一緒に集められてもよく、および一緒に集められた形で第１側壁構造および第２側壁構造の端部、またはチャネル状のゲーム空間の第１開口部および第２開口部に、または近接して取り付けられてもよい。
【００２７】
取り外せるようにまたは持ち上げられるようにまたは上昇させるように配置されたテーブル側壁は、互いに隣接した２つ以上のゲームテーブルを細長いゲーム空間を形成するために好ましくは互いに接触するように配置することを可能にする。したがって、ゲームテーブルの間のテーブル側壁は、取り外されるまたは除去される。または、２人以上の人が一緒にゲームをプレイできるよう隣接するゲームテーブルのゲーム空間を一緒につなぎ合わせるように、テーブル側壁は一緒に持ち上げられる、または上昇される。
【００２８】
第１テーブル側壁および第２テーブル側壁は、剛性材料、可撓性材料、または弾性材料により形成することができる。可撓性および柔軟性を有する材料は、プレーヤーがプレイ中に足を痛めるのを防ぐという点で有利である。
【００２９】
第１テーブル側壁構造および第２テーブル側壁構造は、さらに、テーブルトップ構造から下方へ延びるテーブル支持脚を含んでもよい。テーブル支持脚は、テーブルトップ構造およびテーブル側壁を支持するのに適する任意の種類の支持脚であってもよい。しかし、テーブル支持脚は省略されてもよく、第１テーブル側壁および第２テーブル側壁がテーブルトップ構造に対する必要な支持を提供してもよい。
【００３０】
一実施の形態において、ゲームテーブルは、さらに、第１開口部および第２開口部を閉じるためにチャネル状のゲーム空間の第１開口部および第２開口部に配置される、取り外し可能なテーブル端壁を含んでもよい。取り外し可能なテーブル端壁はまた、チャネル状のゲーム空間を閉じるためにチャネル状のゲーム空間の第１開口部および第２開口部の間に配置されてもよい。テーブル端壁は、床、地面、またはゲームテーブルの底面構造から上方に、第１開口部および第２開口部に対して平行に延びる。テーブル端壁は、床、地面またはゲームテーブルの底面構造とテーブルトップ構造の間に延びてもよく、またはテーブルトップ構造からの距離のみに延びてもよい。テーブル端壁は、好ましくは、ボールがそこから弾むような剛性または弾性を有するが、必要に応じて可撓性を有していてもよい。取り外し可能な端壁により、チャネル状のゲーム空間の内部でテーブル端壁に向かってボールを蹴って一人でゲームをプレイすることができる。
【００３１】
一実施の形態において、第１テーブル側壁構造および第２テーブル側壁構造は、テーブルトップ構造から下方に延びる支持脚を含む。テーブル支持脚が、チャネル状のゲーム空間の両端において、第１テーブルトップ端部および第２テーブルトップ端部で、それぞれ、第１開口部および第２開口部を画定するように、第１テーブル側壁構造および第２テーブル側壁構造は、第１テーブルトップ端部および第２テーブルトップ端部のそれぞれに連結されて設けられる１つのテーブル支持脚を含んでもよい。したがって、テーブル支持脚は、チャネル状のゲーム空間の両端において第１開口部および第２開口部の、垂直にまたは上方に延びる端部を画定する。したがって、上述のテーブル支持脚は、チャネル状のゲーム空間の第１開口部および第２開口部においてテーブルトップ構造の角部に提供されてもよい。
【００３２】
一実施の形態において、第１テーブル側壁および第２テーブル側壁は、それぞれ、サポート支持脚に連結され、第１テーブル側壁および第２テーブル側壁は、チャネル状のゲーム空間の側壁表面を形成する。したがって、テーブル支持脚は、テーブル側壁に対する支持点または連結点を提供する。このため、テーブル側壁構造を、取り外し可能な構造として提供することができる。さらに、テーブル側壁は、横向きに移動してもよく、および丸められてまたは一緒に集められてもよく、および一緒に集められた形で第１側壁構造および第２側壁構造の第１テーブル支持脚および第２テーブル支持脚に取り付けられてもよい。
【００３３】
代替的な実施の形態において、第１テーブル側壁および第２テーブル側壁は、それぞれ、テーブル支持脚と、第１テーブルトップ側部支持部および第２テーブルトップ側部支持部と、に連結され、第１テーブル側壁および第２テーブル側壁は、チャネル状のゲーム空間の側壁構造を形成する。したがって、テーブル支持脚およびテーブルトップ側部支持部はともに、テーブル側壁に対する支持点または連結点を提供する。このため、テーブル側壁構造を、取り外し可能な構造として、および適切なプレイを可能にする頑丈な構造としても提供することができる。
【００３４】
一実施の形態において、ゲームテーブルは、テーブルトップ構造に連結されて設けられる第１テーブル端部フレームを含む。第１テーブル端部フレームは、通常、チャネル状のゲーム空間の第１開口部を画定するＵ字状またはＣ字状の形状を有し、テーブル支持脚および第１テーブルトップ端部を形成するよう配置される。ゲームテーブルは、さらに、テーブルトップ構造に連結されて設けられる第２テーブル端部フレームを含む。第２テーブル端部フレームは、通常、ゲーム空間の第２開口部を画定するＵ字またはＣ字の形状を有し、テーブル支持脚および第２テーブルトップ端部を形成するよう配置される。したがって、フレームは、テーブル側壁構造の一部およびテーブルトップ構造の一部を形成する。この実施の形態では、フレームのウェブ（ｗｅｂ）がテーブルトップ構造の一部を形成するように、Ｕ字状またはＣ字状のフレームが下方に開く。
【００３５】
別の実施の形態において、フレームのウェブが床または地面に対向する、またはテーブル支持脚がテーブルトップ構造に連結されるように、Ｕ字状またはＣ字状のフレームは上方に開いてもよい。この実施の形態において、フレームは第１テーブルトップ端部および第２テーブルトップ端部を形成しない。
【００３６】
代替的な実施の形態において、第１テーブル端部フレームは、テーブルトップ構造に連結して設けられてもよい。第１テーブル端部フレームは、ゲーム空間の第１開口部を画定し支持脚と第１テーブルトップ端部とを形成するよう配置された円周形状を有する。ゲームテーブルは、さらに、テーブルトップ構造に連結されて設けられる第２テーブル端部フレームを含む。第２テーブル端部フレームは、チャネル状のゲーム空間の第２開口部を画定し、支持脚と第２テーブルトップ端部とを形成するよう配置された円周形状を有する。円周形状は、例えば、正方形または長方形の形状、またはいくつかの他の形状であってもよい。したがって、円周フレームは、テーブル側壁構造の一部およびテーブルトップ構造の一部を形成する。円周フレームは、チャネル状のゲーム空間の第１開口部および第２開口部を画定し、ゲームテーブルに対して剛性のおよび頑丈な構造を形成する点で有利である。
【００３７】
ゲームテーブルはまた、チャネル状のゲーム空間の底面を形成するテーブル底面構造を含んでもよい。一実施の形態において、底面構造は、テーブル底壁を含む。テーブル底壁は、チャネル状のゲーム空間の底面を形成するためにテーブルトップ構造の下に配置される、マット、板、またはいくつかの他の種類の平面の要素であってもよい。底壁は、チャネル状のゲーム空間に対して底面を提供するために柔軟にまたは弾力的に提供されてもよい。底壁は、例えば、少なくとも５ｍｍ、または少なくとも１０ｍｍ、さらに少なくとも２０ｍｍの厚さのマットまたは板であってもよい。または代替的に、厚さが、１０〜５０ｍｍの間、または２０〜４０ｍｍの間、または２５〜３５ｍｍの間であってもよい。底壁は、好ましくは、テーブルトップ構造の下の底面全体を覆う。より厚い底壁がゲームテーブルの構造部材として使用されてもよい。
【００３８】
一実施の形態において、テーブル側壁は、テーブル底面構造またはテーブル底壁に連結される。これは、特に、テーブル側壁が可撓性材料または弾力性材料で形成されている場合に有利である。さらに、一実施の形態において、サイドテーブル側壁は、底面構造または底壁の一体的な部分として提供されてもよい。
【００３９】
テーブル側壁は、可撓性材料から提供され、コイル機構を備えてもよい。コイル機構は、コイル上の可撓性を有するテーブル側壁を、側壁構造が開いているコイルアップ（ｃｏｉｌｅｄ−ｕｐ）状態にらせん状に巻き、可撓性を有するテーブル側壁をコイルからテーブル側壁がテーブル側壁構造を覆うまたはテーブル側壁を形成するコイルアウト（ｃｏｉｌｅｄ−ｏｕｔ）または拡張状態に解放することを可能にする任意の既知の種類のコイル機構であってもよい。コイル機構は、可撓性を有するテーブル側壁を自動的に巻き取るための１つまたは複数のスプリングを含んでもよい。可撓性のあるテーブル側壁を有するコイル機構は、可撓性のある側壁がコイル機構からコイルアウトして持ち上げられ、テーブルトップ構造または支持脚に固定されるように、テーブルトップ構造の第１端部および第２端部またはチャネル状のゲーム空間の第１開口部および第２開口部の間の方向、例えばテーブル底壁の側端で、テーブル側壁構造に沿ってテーブル底面構造に配置されてもよい。代替的に、可撓性のあるテーブル側壁を有するコイル機構は、可撓性のある側壁がコイル機構からコイルアウトして下げられ、テーブル底壁または支持脚に固定されるように、テーブルトップ構造の第１端部および第２端部またはチャネル状のゲーム空間の第１開口部および第２開口部の間の方向、例えばテーブル上壁支持部で、テーブル側壁構造に沿ってテーブルトップ構造に配置されてもよい。さらに代替的に、可撓性のあるテーブル側壁を有するコイル機構は、可撓性のある側壁がコイル機構からコイルアウトして引き出され、テーブル側壁構造の第２支持脚に固定されるように、テーブル底面構造およびテーブルトップ構造の間の方向で、第１支持脚に沿って第１支持脚に配置されてもよい。同様に、コイル機構は、第２支持脚の代替として提供されてもよい。
【００４０】
本発明は、さらに、脚でボールゲームを行うことにより運動するためのゲーム装置に関する。ゲーム装置は、ゲームテーブルと、座った状態で脚を使って、ゲームテーブルによって画定されるゲーム空間でボールゲームを行うために、ゲームテーブルの両端にあるシートとを含む。
【００４１】
ゲーム装置は、ゲームテーブルを含む。ゲームテーブルは、シースルーテーブル上面を有するテーブルトップ構造を含む。テーブルトップ構造は、第１テーブルトップ端部と第２テーブルトップ端部と第１テーブルトップ側部と第２テーブルトップ側部と、を有する。第１テーブルトップ側部と第２テーブルトップ側部とは、第１テーブルトップ端部と第２テーブルトップ端部との間に延びる。ゲームテーブルは、さらに、テーブルトップ構造から下方に延びる第１テーブル側壁構造と、テーブルトップ構造から下方に延びる第２テーブル側壁構造と、を含む。第１テーブル側壁構造および第２テーブル側壁構造は、ゲームテーブルおよびテーブルトップ構造を床または地面に支持するためのテーブル起立支持部を形成するよう配置されてもよい。第１テーブル側壁構造および第２テーブル側壁構造は、テーブルトップ構造とともにチャネル状のゲーム空間を形成するよう配置される。チャネル状のゲーム空間は、チャネル状のゲーム空間の両端に開けられた第１開口部と第２開口部と、を有する。ゲームテーブルは、上述の任意の種類のゲームテーブルであってもよい。
【００４２】
本発明のゲーム装置はまた、チャネル状のゲーム空間の第１開口部に連結されて配置された第１シートと、チャネル状のゲーム空間の第２開口部に連結されて配置された第２シートと、を含む。第１シートおよび第２シートにより、プレーヤーは、チャネル状のゲーム空間の第１開口部および第２開口部を介してプレーヤーの脚がチャネル状のゲーム空間の内部に配置されるように、プレイ中にチャネル状のゲーム空間の外部に座ることができる。
【００４３】
第１シートおよび第２シートは、座面を形成するよう配置されたシートトップ構造を含んでもよい。シートトップ構造は、第１シートトップ端部と、第２シートトップ端部と、第１シートトップ側部と、第２シートトップ側部と、を有していてもよい。第１シートトップ側部および第２シートトップ側部は、第１シートトップ端部および第２シートトップ端部との間に延びる。さらに、第１シートトップ端部は、チャネル状のゲーム空間に向かって配置される。第１シートおよび第２シートはまた、シートトップ構造から下方に延びる第１シート側壁と、シートトップ構造から下方に延びる第２シート側壁と、シートトップ構造から下方に延びるシート後壁と、を含んでもよい。したがって、第１シート側壁および第２シート側壁は、シートトップ構造およびシート後壁とともにゴール空間を形成するよう配置されてもよく、ゴール空間は、チャネル状のゲーム空間に向かってゴール開口部を有する。ゴール開口部は、チャネル状のゲーム空間に向かって、シートトップ構造と第１シートトップ端部のシート側壁と、により画定されてもよい。したがって、第１シートおよび第２シートは、プレーヤーがプレイ中にその中にボールを蹴ろうとするゴールを形成してもよい。
【００４４】
一実施の形態において、第１シートおよび第２シートは、シートトップ構造の下に提供されたシート底面構造を含んでもよい。シート底面構造は、ゴール空間の底面を形成してもよい。一実施の形態において、シート底面構造は、シート底壁を含む。シート底壁は、ゴール空間の底面を形成するためのシートトップ構造の下に配置される、マット、板、または、いくつかの他の形式の平面要素または表面要素であってもよい。
【００４５】
一実施の形態において、シート底面構造は、上向きに立ち上がる表面を含む。上向きに立ち上がる表面は、シート後壁に向かっておよび／またはシートトップ構造に向かって上昇するように提供されてもよい。これにより、ゴール開口部または第１シートトップ端部からシート後壁または第２シートトップ端部に向かう方向に、上昇する表面の高さが増加する。上向きに立ち上がる表面は、ボールがゴール空間に得点された場合にチャネル状のゲーム空間に向かってボールを返す。
【００４６】
別の実施の形態において、第１シートおよび第２シートは、シートトップ構造の下に設けられるシート底面構造を含んでもよい。この実施の形態では、シート底面構造は、シートトップ構造の下でシート側壁の間に延びるシート底壁を含む。シート底壁は、上向きに立ち上がる表面を含んでもよく、上向きに立ち上がる表面は、シート底壁により形成されてもよい。
【００４７】
第１シートまたは第２シートまたはゲームテーブルのためのシートは、ゲーム装置の分離したおよび個別の要素であってもよい。したがって、シートはゲームテーブルから分離されていてもよい。さらに、本出願では、シートは、分離した要素として、またはゲームテーブルに連結されて扱われてもよい。したがって、シートが個別の発明的要素として、またはゲームテーブルまたはゲーム装置の一部として考慮され得ることは明らかである。
【００４８】
好ましい実施の形態において、第１シートおよび第２シートのシートトップ構造とチャネル状のゲーム空間の両端にあるテーブルトップ構造との間に脚部開口部が設けられるように、ゲーム空間の第１開口部および第２開口部の高さは、第１シートおよび第２シートの高さよりも大きい。したがって、脚部開口部がテーブルトップ構造とシートトップ構造の間でチャネル状のゲーム空間の第１開口部および第２開口部を形成するように、テーブルトップ構造はシートトップ構造よりも高い位置にある。したがって、プレーヤーがシートに座っているときに、プレーヤーの脚はチャネル状のゲーム空間に脚部開口部を通して配置される。同時に、ゴールがシートまたはシートトップ構造の下に提供され、プレーヤーは、脚を使ってゴールを守るまたはゴールキーパーとしてプレイすることができる。シートの高さは、少なくとも３０ｃｍ、または少なくとも４０ｃｍ、または４５ｃｍ以上であってもよい。これは、シートトップ構造またはシートトップ表面が床または地面から、またはゲームテーブルの底面構造または底壁から、上述の高さであってもよいことを意味する。代替的に、ゴール開口部の高さは、床、地面、またはゲームテーブルの底面から、少なくとも３０ｃｍ、または少なくとも４０ｃｍ、または４５ｃｍ以上であってもよい。上述の高さにより、プレーヤーは、シートに座ったままで、チャネル状のゲームスペースの第１開口部および第２開口部を通して脚を使ってゲームをプレイすることができる。
【００４９】
一実施の形態において、第１シートおよび第２シートはゲームテーブルに連結されるまたは固定される。このため、プレイ中にゲームテーブルに対するシートの相対的な位置を維持することができる。一実施の形態において、第１シートおよび第２シートは、ゲームテーブルに機械的に連結または固定される。好ましくは、第１シートおよび第２シートが、必要に応じて、ゲームテーブルから取り外されたり、またはゲームテーブルに対して相対的に移動させたりできるように、第１シートおよび第２シートは、ゲームテーブルに解放可能に連結または固定される。したがって、ゲーム装置は、第１シートおよび第２シートをゲームテーブルに固定するための機械的固定要素を含んでもよい。固定要素は、シートおよびゲームテーブルが互いに固定されるように提供されてもよい。ゲームテーブルおよびシートの双方が固定要素を含んでもよい。
【００５０】
本発明のゲームテーブルは、閉じられたチャネル状のゲーム空間と、チャネル状のゲーム空間の両端にある開口部とを形成する。テーブルトップ構造のシースルーテーブル上面により、人は、チャネル状のゲーム空間の開口部の１つでゲームテーブルを使用して脚でプレイすることができ、チャネル状のゲーム空間の内部を視覚的に見ることができる。チャネル状のゲーム空間により、ボールがゲームテーブルを脱出するのを防止し、室内でボールゲームを行うことができる。
【００５１】
ゲームテーブルと、チャネル状のゲーム空間の両端および対向する開口部にある第１シートおよび第２シートと、を含むゲーム装置により、プレーヤーは、座ったままゲームをプレイすることで脚および下半身の運動をすることができる。これにより、脚の可動性が制限されている人、または、脚で体を支える機能が制限されている人も、脚でボールゲームを行うことができる。これは、脚または下半身にけがをしている人にとってのリハビリまたは運動に適している。
【００５２】
本発明は、添付の図面を参照して特定の実施の形態によって詳細に説明される。
【図面の簡単な説明】
【００５３】
【図１】本発明にかかるゲームテーブルの一実施の形態の概略図
【図２】図１のゲームテーブルの分解図
【図３】本発明にかかるゲームテーブル用のシートの一実施の形態の概略図
【図４】図３のシートの分解図
【図５】本発明にかかるゲーム装置の一実施の形態の概略図
【発明を実施するための形態】
【００５４】
図１は、本発明にかかるゲームテーブル２の一実施の形態を示す図である。ゲームテーブル２は、テーブルトップ構造２０と、第１テーブル側壁構造３０と、第２テーブル側壁構造３２と、を含む。テーブルトップ構造２０は、テーブルトップと、ゲームテーブル２に対する側壁を形成する第１テーブル側壁構造３０および第２テーブル側壁構造３２と、を形成し、ゲームテーブル２に対する起立支持部もまた形成する。
【００５５】
テーブルトップ構造２０は、第１テーブルトップ端部２７および第２テーブルトップ端部２９と、第１テーブルトップ側部２４および第２テーブルトップ側部２６と、を含む。第１テーブルトップ側部２４および第２テーブルトップ側部２６は、第１テーブルトップ端部２７および第２テーブルトップ端部２９の間に延びる。第１テーブルトップ側壁構造３０および第２テーブルトップ側壁構造３２は、それぞれ、第１テーブルトップ側部２４および第２テーブルトップ側部２６から下方に延びる。
【００５６】
テーブルトップ構造２０は、シースルーテーブル上面を含む。テーブル上面は、第１テーブルトップ端部２７および第２テーブルトップ端部２９の間で第１テーブルトップ側部２４および第２テーブルトップ側部２６の間に、１つまたは複数のシースルー開口部を備える。代替的に、テーブル上面は、１つまたは複数のテーブル上壁２１、２２備えてもよい。テーブル上壁２１、２２は、テーブルトップ側部２４、２６および／またはテーブルトップ端部２７、２９に支持されてもよい。しかし、１つまたは複数のテーブル上壁が第１テーブルトップ側部および第２テーブルトップ側部と第１テーブルトップ端部および第２テーブルトップ端部とを形成するように、テーブルトップ構造２０の全体が１つまたは複数のテーブル上壁で形成されてもよいことに留意されたい。
【００５７】
第１テーブル側壁構造３０および第２テーブル側壁構造３２は、床または地面にゲームテーブル２を支持するために、ゲームテーブル２に対してテーブル側壁および起立支持部を提供する。第１テーブル側壁構造３０および第２テーブル側壁構造３２は、テーブルトップ構造２０とともにチャネル状のゲーム空間１００を形成するよう配置される。ゲーム空間１００は、ゲームテーブル２の内部空間である。チャネル状のゲーム空間１００は、地面の床またはゲームテーブル２の特別な底面構造により、底面において画定される。チャネル状のゲーム空間１００は、チャネル状のゲーム空間１００の両端に、またはテーブルトップ構造２０の両端２７、２９に、第１開口部１０２と第２開口部１０４と、を有する。第１開口部１０２および第２開口部１０４は、実質的に垂直な方向に延びる。さらに、テーブルトップ構造またはテーブル上壁２１、２２は実質的に水平な方向に延び、テーブル側壁３０、３２は実質的に垂直な方向に延びる。第１テーブル側壁および第２テーブル側壁の第１テーブル側壁構造３０および第２テーブル側壁構造３２は、互いに間隔を空けて対向するように、好ましくは実質的に平行に、配置される。
【００５８】
テーブル上壁は、透明材料で形成された固形のテーブル上壁２１、２２により提供されてもよく、テーブルトップ構造２０の上方からゲーム空間１００へ、ゲーム空間１００の上壁表面およびシースルーテーブル上面を形成するよう配置されてもよい。透明テーブル上壁２１、２２は、プレーヤーが固形のテーブル上壁を通してゲーム空間１００の内部を見ることができるような、透明性を可能にする任意の適切な材料により形成されてもよい。代替的に、テーブル上壁は、複数の網目を有するネット状のテーブルトップにより提供されてもよく、テーブルトップ構造２０の上方からゲーム空間１００へ、ゲーム空間１００の上壁表面およびシースルーテーブル上面を形成するよう配置されてもよい。この実施の形態では、網目は、ゲーム空間１００へのシースルー機能を提供する。シースルーテーブル上面またはシースルーテーブル上壁は、チャネル状のゲーム空間１００へのシースルー構造を形成するよう配置されてもよい。したがって、シースルーテーブル上面は、チャネル状のゲーム空間１００への視認性を提供する。さらに、シースルーテーブル上壁により、プレーヤーは、チャネル状のゲーム空間１００の外部から、およびゲームテーブルまたはチャネル状のゲーム空間１００の上方から、チャネル状のゲーム空間１００の内部を見ることができる。
【００５９】
図１に示すように、ゲームテーブル２は、テーブルトップ構造２０に連結されて設けられる、または、第１テーブルトップ端部２７でテーブルトップ構造２０に連結される、第１テーブル端部フレーム１０を含む。ゲームテーブル２は、さらに、テーブルトップ構造２０に連結されて設けられる、またはテーブルトップ構造２０に連結される第２テーブル端部フレーム１１を含む。第１テーブル端部フレーム１０は、第１テーブルトップ端部２７に連結されて設けられる、または第１テーブルトップ端部２７に連結される。同様に、第２テーブル端部フレーム１１は、第２テーブルトップ端部２９に連結されて設けられる、またはテーブルトップ端部２９に連結される。
【００６０】
図１の実施の形態において、第１テーブル端部フレーム１０および第２テーブル端部フレーム１１は、それぞれ、ゲーム空間１００の第１開口部１０２およびゲーム空間１００の第２開口部１０４を画定する円周状またはＯ字状の形状を有する。円周状の形状とは、図１に示すように、第１端部フレームおよび第２端部フレームがループを形成するということを意味する。
【００６１】
第１円周テーブル端部フレーム１０および第２円周テーブル端部フレーム１１は、実質的に正方形または長方形の形状を有する。したがって、円周テーブル端部フレーム１０、１１は、上部フレーム部１６と、下部フレーム部１８と、上部フレーム部１６と下部フレーム部１８との間に延びる２つの対向する側部フレーム部１２、１４と、を含む。テーブル端部フレーム１０、１１は、木材、プラスチック、またはアルミニウムなどの金属、または他の適切な剛性材料により形成されてもよい。テーブル端部フレーム１０、１１は、１つまたは複数の棒要素または梁要素により形成されてもよい。
【００６２】
テーブルトップ構造２０は、さらに、テーブルトップ側部２４、２６を形成するテーブルトップ側部支持部２４、２６を含む。テーブルトップ側部支持部２４、２６は、テーブルトップ端部２７、２９の間、またはテーブル端部フレーム１０、１１の間に延びる。図１に示すように、第１テーブルトップ側部支持部２４および第２テーブルトップ側部支持部２６は、テーブル端部フレーム１０、１１に連結される、または取り付けられる。したがって、テーブル端部フレーム１０、１１と第１テーブルトップ側部支持部２４および第２テーブルトップ側部支持部２６とはともに、ゲームテーブル２の支持フレームであるゲームテーブルフレームを形成する。
【００６３】
第１端部フレーム１０および第２端部フレーム１１は、図１に示すように、テーブルトップ構造２０および第１テーブル側壁構造３０および第２テーブル側壁構造３２の一部を形成してもよい。
【００６４】
上部フレーム部１６は、テーブルトップ構造２０の一部を形成してもよく、特に、上部フレーム部１６が第１テーブルトップ端部２７および第２テーブルトップ端部２９も形成するように、テーブルトップ端部支持部を形成してもよい。
【００６５】
テーブル上壁２１、２２は、テーブルトップ側部支持部２４、２６に、またはテーブルトップ端部支持部１６、すなわち上部フレーム部１６に、支持されてもよい、または取り付けられてもよい。代替的に、テーブル上壁２１、２２は、テーブルトップ側部支持部２４、２６に、およびテーブルトップ端部支持部１６、すなわち上部フレーム部１６に、支持されてもよい、または取り付けられてもよい。テーブルトップ側部支持部２４、２６は、実質的に水平方向に延びる。テーブルトップ側部支持部２４、２６は、１つまたは複数の棒要素または梁要素により形成されてもよい。
【００６６】
側部フレーム部１２、１４は、テーブル側壁構造３０、３２、およびゲームテーブル２に対する起立支持を提供するゲームテーブルの支持脚もまた形成してもよい。側部フレーム部１２、１４は、テーブルトップ構造２０から、および上部フレーム部１６から下方に延びる。
【００６７】
第１テーブル側壁構造３０および第２テーブル側壁構造３２は、さらに、チャネル状のゲーム空間１００の側壁を形成する第１テーブル側壁３０および第２テーブル側壁３２を含む。第１テーブル側壁３０および第２テーブル側壁３２は、透明材料または非透明材料で形成された固形のテーブル側壁であってもよく、ゲーム空間１００のテーブル側壁表面を形成するよう配置されてもよい。代替的に、第１テーブル側壁３０および第２テーブル側壁３２は、図１に示すように、複数の網目を有するネット状のテーブル側壁であってもよく、ゲーム空間１００のテーブル側壁表面を形成するよう配置されてもよい。
【００６８】
第１テーブル側壁３０および第２テーブル側壁３２は、剛性材料、透過性材料、または弾性材料により形成されてもよい。第１テーブル側壁３０および第２テーブル側壁３２は、側部フレーム部１２、１４に、またはテーブルトップ側部支持部２４、２６に、支持されてもよい、または取り付けられてもよい。代替的に、第１テーブル側壁３０および第２テーブル側壁３２は、側部フレーム部１２、１４に、およびテーブルトップ側部支持部２４に支持されてもよい、または取り付けられてもよい。
【００６９】
ゲームテーブル２はまた、テーブル底面構造９０を含んでもよい。テーブル底面構造９０は、例えば、ゲームテーブル２の内部でゲーム表面を形成するマットまたは板などの底壁を含んでもよい。
【００７０】
図１に示すように、ゲームテーブル２は、円周状の第１テーブル端部フレーム１０および第２テーブル端部フレーム１１を含む。しかし、第１テーブル端部フレーム１０および第２テーブル端部フレーム１１はまた、上部フレーム部１６または下部フレーム部１８を省略できるように、Ｕ字状またはＣ字状に設けられてもよいことに留意されたい。さらに別の実施の形態において、ゲームテーブル２または第１テーブル側壁構造３０および第２テーブル側壁構造３２は、テーブルトップ構造２０から下方に延びる個別のテーブル支持脚（図示省略）を含む。この実施の形態では、支持脚が第１テーブルトップ端部２７および第２テーブルトップ端部２９により、それぞれ、第１開口部１０２および第２開口部１９４を画定するように、テーブル支持脚が第２テーブルトップ端部２７および第２テーブルトップ端部２９に連結して設けられてもよい。
【００７１】
さらに、テーブルトップ構造２０はまた、１つまたは複数のテーブル上壁２１、２２のみによって形成されてもよい。
【００７２】
さらに、第１テーブル側壁構造３０および第２テーブル側壁構造３２はまた、１つまたは複数のテーブル側壁のみによって形成されてもよい。これらの代替的な構造の変形例はチャネル状のゲーム空間１００を有するゲームテーブル２を形成するために任意の適切な方法で組み合わされてもよい。
【００７３】
図２は、図１のゲームテーブル２の分解図を示す。第１端部フレーム１０および第２端部フレーム１１は、互いに連結された、または連結可能な個別のフレーム要素１３、１５から形成されている。個別のフレーム要素１３、１５は、機械的なフレーム連結１２０、１２２により互いに連結可能である。機械的なフレーム連結１２０、１２２は、任意の種類の既知の機械的連結またはジョイントであってもよい。図２の実施の形態において、機械的なフレーム連結１２０、１２２は、ほぞ継ぎ（ｍｏｒｔｉｓｅ−ａｎｄ−ｔｅｎｏｎ）ジョイントである。したがって、フレーム要素１３、１５は、ほぞ１２０と、連結を形成するためにほぞ１２０を受けるほぞ穴１２２と、を含む。
【００７４】
図２の実施の形態において、第１端部フレーム１０および第２端部フレーム１１は、コーナーフレーム要素１３および直線フレーム要素１５を含む。コーナーフレーム要素１３および直線フレーム要素１５はともに、互いに連結されて円周状のフレーム１０、１１を形成する。
【００７５】
直線フレーム要素１５は両端にほぞ１２０を含み、コーナーフレーム要素１３は直線フレーム要素１５のほぞ１２０を受けるためのほぞ穴１２２を両端に含む。図２に示すように、２つのコーナーフレーム要素１３の間に１つの直線フレーム要素１５が配置されている。コーナーフレーム要素１３は、実質的に直角、すなわち、実質的に９０度の角度を有する。さらに、直線フレーム要素１５は、互いに同様の、または同一のものであってもよく、コーナーフレーム要素１３もまた、互いに同様の、または同一のものであってもよい。このため、ゲームテーブルの製造および組み立てを効率的におよび容易にすることができる。さらに、これにより、ゲーム空間１００の第１開口部１０２および第２開口部１０４を正方形の形状に形成することができる。
【００７６】
ゲーム空間１００の第１開口部１０２および第２開口部１０４が正方形とは異なる形状を有するように、２つのコーナーフレーム要素の間の直線フレーム要素１５の数を変えることが可能であり、また、コーナーフレーム１３の形状を変えることも可能であることに留意されたい。さらに、ほぞ継ぎジョイント１２０、１２２は異なる方法で提供されてもよく、または、いくつかの他の種類の機械的なジョイントが使用されてもよい。また、図４に示すのと同様の方法で、それぞれのコーナーフレーム要素１３と直線フレーム要素１５とがほぞ穴または穴１２２を含み、ほぞ１２０が個別の部品であるように、ほぞ継ぎジョイント１２０、１２２が形成されてもよい。
【００７７】
第１テーブルトップ側部支持部２４および第２テーブルトップ側部支持部２６は、第１端部フレーム１０および第２端部フレーム１１のほぞ継ぎジョイント１２０、１２２と同様のほぞ継ぎジョイントのような機械的連結で、第１端部フレーム１０および第２端部フレーム１１に連結されてもよい。第１テーブルトップ側部支持部２４および第２テーブルトップ側部支持部２６はまた、好ましくは機械的ジョイントで互いに連結された１つまたは複数のテーブルトップ側部支持部品２３、２５から形成されてもよい。好ましい実施の形態において、１つまたは複数のテーブルトップ側部支持部品２３、２５は、直線フレーム要素１５と同様、または同一である。これにより、異なる要素の数を最小化することができるため、さらにゲームテーブルの製造および組み立てを効率的におよび容易にすることができる。この場合、ゲーム空間１００の第１端部および第２端部の間に長手方向のチャネル状のゲーム空間１００を設けるために、それぞれのテーブルトップ側部には、端部フレーム１０、１１のトップ構造における直線フレーム要素１５よりも多くの側部支持部品があってもよい。
【００７８】
図３は、ゲーム装置を形成するためのゲームテーブル２とともに使用されるシート４を示す。シート４は、座面を形成するよう配置されたシートトップ構造７０を含む。シートトップ構造７０は、第１シートトップ端部７４と第２シートトップ端部７６と、第１シートトップ側部７１と、第２シートトップ側部７３と、を有する。第１シートトップ側部７１および第２シートトップ側部７３は、第１シートトップ端部７４および第２シートトップ端部７６の間に延びる。シート４は、さらに、シートトップ構造７０から下方に延びる第１シート側壁８２と、シートトップ構造７０から下方に延びる第２シート側壁８４と、シートトップ構造７０から下方に延びるシート後壁８０と、を含む。第１シート側壁８２および第２シート側壁８４は、シートトップ構造２０およびシート後壁８０とともにゴール空間１１０を形成するよう配置される。
【００７９】
第１シート側壁８２および第２シート側壁８４は、それぞれ、第１シートトップ側部７１および第２シートトップ側部７３またはその近傍において、シートトップ構造７０から下方に延びるように配置される。シート後壁８０は、第２シートトップ端部７６またはその近傍において、シートトップ構造７０から下方に延びるように配置される。第１シート側壁８２および第２シート側壁８４とシートトップ構造７０の第１シートトップ端部７４とは、図３に示すように、シートトップ端部７６においてゴール空間１１０へのゴール開口部１１２を画定する。ゴール空間１１０は、シート４の内部空間である。ゴール空間１１０は、地面の床またはシート４の特別な底面構造により、底面において画定される。ゴール開口部１１２は、実質的に垂直な方向に延びる。さらに、シート上面またはシート上壁７０は、実質的に水平な方向に延び、シート側壁８２、８４は、実質的に垂直な方向に延びる。第１シート側壁構造８２および第２シート側壁構造８４は、シート側壁および床または地面におけるシート４の起立支持を提供してもよい。
【００８０】
シートトップ構造７０は、プレイヤーが座ることのできる座面を形成する上壁を含む。シート上壁は、シートトップ側部７１、７３および／またはシートトップ端部７４、７６に支持されてもよい。しかし、１つまたは複数のシート上壁が、第１シートトップ側部および第２シートトップ側部と第１シートトップ端部および第２シートトップ端部とを形成するように、シートトップ構造７０の全体は、１つまたは複数のシート上壁で形成されてもよいことに留意されたい。
【００８１】
第１シート側壁８２および第２シート側壁８４と、シート後壁８０とは、透明材料または非透明材料で形成され、ゴール空間１１０のシート側壁表面を形成するよう配置された、固形のシート側壁を含んでもよい。代替的に、第１シート側壁８２および第２シート側壁８４とシート後壁８０とは、図３に示すように、複数の網目を有するネット状のシート側壁であってもよく、ゴール空間１１０のシート側壁表面を形成するよう配置されてもよい。第１シート側壁８２および第２シート側壁８４とシート後壁８０とは、剛性材料、可撓性材料、または弾性材料により形成することができる。
【００８２】
図３に示すように、シート４は、シートトップ構造に連結されて設けられた、または第１シートトップ側部７１でシートトップ構造７０に連結された、第１シート側部フレーム６０を含む。シート４は、シートトップ構造７０に連結されて設けられた、または第２シートトップ側部７３でシートトップ構造７０に連結された、第２シート側部フレーム６１を含む。第１シート側部フレーム６０は、第１シートトップ側部７１に連結されて設けられる、または第１シートトップ側部７１に連結される。同様に、第２シート側部フレーム６１は、第２シートトップ側部７３に連結されて設けられる、または第２シートトップ側部７３に連結される。
【００８３】
図３の実施の形態において、シート側壁８２、８４がそれぞれ、第１シート側部フレーム６０および第２シート側部フレーム６１の内部に配置され、それに連結されるように、第１テーブル端部フレーム６０および第２テーブル端部フレーム６１は円周形状を有する。円周形状は、図４に示すように、第１シート側部フレーム６０および第２シート側部フレーム６１がループを形成するということを意味する。シート後壁８０はまた、第１シート側部フレーム６０および第２シート側部フレーム６１に、およびそれらの間で、連結される、または支持される。シート後壁８０はまた、シートトップ構造７０にも連結され支持される。
【００８４】
第１円周シート側部フレーム６０および第２円周シート側部フレーム６１は、実質的に正方形または長方形の形状を有する。したがって、円周シート側部フレーム６０、６１は、上部フレーム部６６と、下部フレーム部６８と、上部フレーム部６６および下部フレーム部６８の間に延びる２つの対向する側部フレーム部６２、６４と、を含む。シート側部フレーム６０、６１は、木材、プラスチック、またはアルミニウムのような金属、または任意の他の適切な剛性材料により形成することができる。シート側部フレーム６０、６１は、１つまたは複数の棒要素または梁要素により形成することができる。
【００８５】
シートトップ構造７０は、さらに、シートトップ前部支持部７４およびシートトップ後部支持部７６、またはシートトップ端部支持部を含み、シートトップ端部７４、７６を形成する。シートトップ端部支持部７４、７６は、シートトップ側部７１、７３の間、またはシート側部フレーム６０、６１の間に延びる。図３に示すように、第１シートトップ端部支持部７４および第２シートトップ端部支持部７６は、シート側部フレーム６０、６１に連結される、または取り付けられる。したがって、シート側部フレーム６０、６１と第１シートトップ端部支持部７４および第２シートトップ端部支持部７６とはともに、シート４の支持フレームであるシートフレームを形成する。
【００８６】
第１シート側部フレーム６０および第２シート側部フレーム６１は、図３に示すように、シートトップ構造７０、および第１シート側壁８２および第２シート側壁８４の一部を形成してもよい。
【００８７】
上部シートフレーム部品７６は、シート構造７０の一部を形成してもよい、特に、シート上部フレーム部品７６がまた第１シートトップ側部７１および第２シートトップ側部７３をそれぞれ形成するように、シートトップ側部支持部を形成してもよい。
【００８８】
シート上壁７０は、シートトップ端部支持部７４、７６に、またはシートトップ側部支持部７６、すなわち上部シートフレーム部品７６に支持されてもよい、または取り付けられてもよい。代替的に、シート上壁７０は、シートトップ端部支持部７４、７６およびシートトップ側部支持部７６、すなわち上部シートフレーム部品７６に支持されてもよい、または取り付けられてもよい。シートトップ端部支持部７４、７６は、実質的に水平な方向に延びる。シート端部端部支持部７４、７６は１つまたは複数の棒要素または梁要素により形成されてもよい。
【００８９】
側部シートフレーム部品６２、６４は、シート側壁８２、８４の一部、およびシート４の起立支持を提供するためにシート４の支持脚も形成してもよい。側部シートフレーム部品８２、６４はシートトップ構造７０からおよび上部シートフレーム部品７６から下方に延びる。
【００９０】
シート４はまた、図５に示すように、シートトップ構造７０の下に配置されるシート底面構造９１、９２、９３、９４も含む。シート底面構造９１、９２、９３、９４は、シートトップ構造７０の下、およびシート側壁８２、８４の間に延びるシート底壁９１、９３を含んでもよい。シート底面構造またはシート底壁９１、９３はまた、上向きに立ち上がる表面９２、９４を含んでもよい。上向きに立ち上がる表面９２、９４は、ゴール空間１１０の内部のゴール開口部１１２からシート後壁８０に向かって上向きに立ち上がるよう配置されてもよい。シート底壁９１、９３は、例えば、マットまたは板であってもよい。
【００９１】
図３に示すように、シート４は、円周第１シート側部フレーム６０および円周第２シート側部フレーム６１を含む。しかし、第１シート側部フレーム６０および第２シート側部フレーム６１はまた、上部シートフレーム部品６６または下部シートフレーム部品６８を省略できるように、Ｕ字状またはＣ字状のフレームとして設けられてもよいことに留意されたい。さらに代替的な実施の形態において、シート４または第１シート側壁８２および第２シート側壁８４は、シートトップ構造７０から下方に延びる個別の支持脚（図示省略）を含む。この実施の形態では、支持脚が第１シートトップ端部７４を有するゴール開口部１１２を画定するように支持脚は第１シートトップ側部７１および第２シートトップ側部７３に連結して配置されてもよい。
【００９２】
さらに、シートトップ構造７０はまた、１つまたは複数のシート上壁のみによって形成されてもよい。
【００９３】
さらに、第１シート側壁８２および第２シート側壁８４はまた、フレーム６０、６１または支持部を使用せずに、１つまたは複数のシート側壁８２、８４のみによって形成されてもよい。これらの代替的な構造の変形例は、シート４を形成するための任意の適切な方法で組み合わされてもよい。
【００９４】
第１シート側壁８２および第２シート側壁８４と、シート後壁８０とは、側部シートフレーム部品６２、４４に、またはシートトップ端部支持部７４、７６に支持されてもよい、または取り付けられてもよい。代替的に、第１シート側壁８２および第２シート側壁８６は、側部シートフレーム部品６２、６４に、およびシートトップ端部支持部７４、７６に支持されてもよい、または取り付けられてもよい。
【００９５】
図４は、図３のシートの分解図を示す。第１シート側部フレーム６０および第２シート側部フレーム６１は、互いに連結されたまたは連結可能な個別のシートフレーム要素６３から形成されている。個別のシートフレーム要素６３は、機械的なフレーム連結６７、６９で互いに連結可能である。機械的なフレーム連結６７、６９は、任意の種類の既知の機械的な連結またはジョイントであってもよい。図４の実施の形態において、機械的なフレーム連結６７、６９は、ほぞ継ぎジョイントである。したがって、シートフレーム要素６３は、連結を形成するために個別のほぞ６７を受けるためのほぞ穴６９を含む。
【００９６】
図４の実施の形態において、第１シート側部フレーム６０および第２シート側部フレーム６１は、コーナーシートフレーム要素６３を含む。コーナーフレーム要素６３は、互いに連結されると円周フレーム６０、６１を形成する。
【００９７】
コーナーシートフレーム要素６３は、実質的に直角、すなわち実質的に９０度の角度を有する。さらに、コーナーシートフレーム要素６３は、互いに、および好ましくはゲームテーブル２のコーナーフレーム要素１３と同様または同一である。これにより、ゲームテーブルの製造および組み立てを効率的におよび容易にすることができる。
【００９８】
第１シート側部フレーム６０および第２シート側部フレーム６１はまた、シート側部フレーム６０、６１の形状を変えられるように、ゲームテーブル２と同様に、直線シートフレーム要素を含んでもよいことに留意されたい。
【００９９】
第１シートトップ端部支持部７４および第２シートトップ端部支持部７６は、第１シート側部フレーム６０および第２シート側部フレーム６１、即ち第１端部フレーム１０および第２端部フレーム１１の１２０、１２２と同様のほぞ継ぎジョイントなどの機械的な連結により第１シート側部フレーム６０および第２シート側部フレーム６１に連結されてもよい。第１シートトップ端部支持部７４および第２シートトップ端部支持部７６はまた、好ましくは機械的なジョイントにより、互いに連結された１つまたは複数のシートトップ端部支持部７４、７６から形成されてもよい。好ましい実施の形態において、１つまたは複数のシートトップ端部支持部７４、７６は、ゲームテーブル２の直線フレーム要素１５と同様または同一であり、第１テーブルトップ側部支持部２４および第２テーブルトップ側部支持部２６と同様または同一である。これにより、異なる要素の数を最小限に抑えることができるため、ゲームテーブルの製造および組み立てをさらに効率的および容易にすることができる。
【０１００】
図５は、組み立てられた状態のゲーム装置６を示す。ゲーム装置６は、ゲームテーブル２と、チャネル状のゲーム空間１００の第１開口部に連結されて配置された第１シート４と、チャネル状のゲーム空間の第２開口部に連結されて配置された第２シート５と、を含む。
【０１０１】
第１シートおよび第２シートにより、プレーヤーは、プレーヤーの脚がチャネル状のゲーム空間の第１開口部および第２開口部を介してチャネル状のゲーム空間の中に配置されるように、プレイ中にチャネル状のゲーム空間の外部に座ることができる。第１シート４および第２シート５は、第１シートトップ端部７４およびゴール開口部１１２がゲームテーブル２、第１開口部１０２、第２開口部１０４、およびゲーム空間１００に向かうように、第１開口部１０２および第２開口部１０４に配置される。
【０１０２】
第１シート４および第２シート５は、好ましくは、ゲームテーブル２に連結または固定されてもよい。一実施の形態において、第１シート４および第２シート５は、ゲームテーブル２に機械的に連結または固定される。好ましくは、第１シート４および第２シート５は、第１シート４および第２シート５がゲームテーブル２から除去できるように、または必要に応じてゲームテーブル２に対して移動できるように、ゲームテーブル２に解放可能に連結または固定される。したがって、ゲーム装置６は、第１シート４および第２シート５をゲームテーブル２に固定されるための機械的な固定要素５０、５２、５３、５４、５５、５６を含んでもよい。固定要素は、シート４、５とゲームテーブル２とが互いに固定できるように提供することができる。ゲームテーブル２は、第１固定要素５０、５２、５４、５６を含んでもよく、シート４、５は、シート４、５とゲームテーブル２とを共に固定するための第２固定要素５３、５５を含んでもよい。シート４、５は、テーブル端部フレーム１０、１１、またはゲームテーブル２のテーブル支持脚が、シート４、５またはシート側部フレーム６０、６１、またはシート支持脚と近接するまたは接触するように、ゲームテーブル２に近接して配置される。
【０１０３】
脚部開口部１０６が、第１シート４および第２シート５のシートトップ構造２０とチャネル状のゲーム空間１００の両端にあるテーブルトップ構造２０との間に設けられるように、ゲーム空間１００の第１開口部１０２および第２開口部１０４の高さは、第１シート４および第２シート５の高さよりも小さい。したがって、脚部開口部１０６が、テーブルトップ構造２０とシートトップ構造７０との間の、チャネル状のゲーム空間１００の第１開口部１０２および第２開口部１０４に形成されるように、テーブルトップ構造２０は、シートトップ構造７０よりも高い位置にある。これにより、プレーヤーは、シート４、５に座って、チャネル状のゲーム空間１００に脚部開口部１０６を通して脚を配置することができる。同時に、ゴール開口部１１２は、ゲーム空間１００の第１開口部１０２および第２開口部１０４を介してゲーム空間１００に開いている。
【０１０４】
ゲームテーブル２の底面構造９０と、シート４、５の底面構造９１、９３は、テーブルトップ構造２０およびシートトップ構造７０の下に延びる一体的な（ｉｎｔｅｇｒａｌ）、および均一な（ｕｎｉｆｏｒｍ）底面構造を形成してもよい。したがって、機械的な連結で底面構造９０、９１、９３にシート４、５を固定することもできる。しかし、ゲームテーブル２の底面構造９０とシート４、５の底面構造９１、９３は、個別の構造であってもよい。
【０１０５】
本発明は、図に示される例を参照して上述のように説明された。しかし、本発明は、上述の例に限定されるものではなく、特許請求の範囲内で変更することができる。
【図１】
2021508573.tif 000003
【図２】
2021508573.tif 000004
【図３】
2021508573.tif 000005
【図４】
2021508573.tif 000006
【図５】
2021508573.tif 000007
【手続補正書】
【提出日】令和2年8月24日(2020.8.24)
【手続補正１】
【補正対象書類名】明細書
【補正対象項目名】００３８
【補正方法】変更
【補正の内容】
【００３８】
一実施の形態において、テーブル側壁は、テーブル底面構造またはテーブル底壁に連結される。これは、に、テーブル側壁が可撓性材料または弾力性材料で形成されている場合に有利である。さらに、一実施の形態において、テーブル側壁は、底面構造または底壁の一体的な部分として提供されてもよい。
【手続補正２】
【補正対象書類名】明細書
【補正対象項目名】００７８
【補正方法】変更
【補正の内容】
【００７８】
図３は、ゲーム装置を形成するためのゲームテーブル２とともに使用されるシート４を示す。シート４は、座面を形成するよう配置されたシートトップ構造７０を含む。シートトップ構造７０は、第１シートトップ端部７４と第２シートトップ端部７６と、第１シートトップ側部７１と、第２シートトップ側部７３と、を有する。第１シートトップ側部７１および第２シートトップ側部７３は、第１シートトップ端部７４および第２シートトップ端部７６の間に延びる。シート４は、さらに、シートトップ構造７０から下方に延びる第１シート側壁８２と、シートトップ構造７０から下方に延びる第２シート側壁８４と、シートトップ構造７０から下方に延びるシート後壁８０と、を含む。第１シート側壁８２および第２シート側壁８４は、シートトップ構造７０およびシート後壁８０とともにゴール空間１１０を形成するよう配置される。
【手続補正３】
【補正対象書類名】明細書
【補正対象項目名】００９４
【補正方法】変更
【補正の内容】
【００９４】
第１シート側壁８２および第２シート側壁８４と、シート後壁８０とは、側部シートフレーム部品６２、６４に、またはシートトップ端部支持部７４、７６に支持されてもよい、または取り付けられてもよい。代替的に、第１シート側壁８２および第２シート側壁８６は、側部シートフレーム部品６２、６４に、およびシートトップ端部支持部７４、７６に支持されてもよい、または取り付けられてもよい。
【手続補正４】
【補正対象書類名】明細書
【補正対象項目名】００９９
【補正方法】変更
【補正の内容】
【００９９】
第１シートトップ端部支持部７４および第２シートトップ端部支持部７６は、第１シート側部フレーム６０および第２シート側部フレーム６１、または第１端部フレーム１０および第２端部フレーム１１のジョイント１２０、１２２と同様のほぞ継ぎジョイントなどの機械的な連結により第１シート側部フレーム６０および第２シート側部フレーム６１に連結されてもよい。第１シートトップ端部支持部７４および第２シートトップ端部支持部７６はまた、好ましくは機械的なジョイントにより、互いに連結された１つまたは複数のシートトップ端部支持部７４、７６から形成されてもよい。好ましい実施の形態において、１つまたは複数のシートトップ端部支持部７４、７６は、ゲームテーブル２の直線フレーム要素１５と同様または同一であり、第１テーブルトップ側部支持部２４および第２テーブルトップ側部支持部２６と同様または同一である。これにより、異なる要素の数を最小限に抑えることができるため、ゲームテーブルの製造および組み立てをさらに効率的および容易にすることができる。
【手続補正５】
【補正対象書類名】明細書
【補正対象項目名】０１０３
【補正方法】変更
【補正の内容】
【０１０３】
脚部開口部１０６が、第１シート４および第２シート５のシートトップ構造７０とチャネル状のゲーム空間１００の両端にあるテーブルトップ構造２０との間に設けられるように、ゲーム空間１００の第１開口部１０２および第２開口部１０４の高さは、第１シート４および第２シート５の高さよりも小さい。したがって、脚部開口部１０６が、テーブルトップ構造２０とシートトップ構造７０との間の、チャネル状のゲーム空間１００の第１開口部１０２および第２開口部１０４に形成されるように、テーブルトップ構造２０は、シートトップ構造７０よりも高い位置にある。これにより、プレーヤーは、シート４、５に座って、チャネル状のゲーム空間１００に脚部開口部１０６を通して脚を配置することができる。同時に、ゴール開口部１１２は、ゲーム空間１００の第１開口部１０２および第２開口部１０４を介してゲーム空間１００に開いている。
【手続補正６】
【補正対象書類名】特許請求の範囲
【補正対象項目名】全文
【補正方法】変更
【補正の内容】
【特許請求の範囲】
【請求項１】
脚でボールゲームを行うことにより運動するためのゲームテーブル（２）であって、
シースルーテーブル上面を備え、第１テーブルトップ端部（２７）と、第２テーブルトップ端部（２９）と、第１テーブルトップ側部（２４）と、第２テーブルトップ側部（２６）と、を有し、前記第１および第２テーブルトップ側部（２４，２６）が、前記第１および第２テーブルトップ端部（２７，２９）の間に延びるテーブルトップ構造（２０）、および、
前記テーブルトップ構造（２０）から下方に延びた第１テーブル側壁構造（３０）および前記テーブルトップ構造（２０）から下方に延びた第２テーブル側壁構造（３２）、
を備えたゲームテーブルにおいて、
前記第１および第２テーブル側壁構造（３０，３２）は、前記テーブルトップ構造（２０）とともにチャネル状のゲーム空間（１００）を形成するように配置され、
前記チャネル状のゲーム空間（１００）は、前記チャネル状のゲーム空間（１００）の両端の第１開口部（１０２）および第２開口部（１０４）を有し、
前記第１テーブル側壁構造（３０）および前記第２テーブル側壁構造（３２）は、複数の網目を有するネット状のテーブル側壁（３０、３２）であり、前記ゲーム空間（１００）のテーブル側壁表面を形成するように配置され、
前記シースルーテーブル上面は、前記チャネル状のゲーム空間（１００）にシースルー構造を設けるよう配置された、
ゲームテーブル（２）。
【請求項２】
前記テーブルトップ構造（２０）は、
前記シースルーテーブル上面を形成するよう配置された１つ以上のテーブルトップ開口部と、
透明材料で形成され、前記シースルーテーブル上面を形成するよう配置された固形テーブル上壁（２１、２２）と、
複数の網目を有し、前記シースルーテーブル上面を形成するよう配置されたネット状のテーブル上壁と、
のうちの少なくともいずれか１つを含み、
前記シースルーテーブル上面は、前記ゲーム空間（１００）へのシースルー構造を提供するよう配置される、
請求項１に記載のゲームテーブル（２）。
【請求項３】
前記テーブルトップ構造（２０）は、
前記第１テーブルトップ側部を形成し、前記第１テーブルトップ端部（２７）と前記第２テーブルトップ端部（２９）との間に延びる第１テーブルトップ側部支持部（２４）と、
前記第２テーブルトップ側部を形成し、前記第１テーブルトップ端部（２７）と前記第２テーブルトップ端部（２９）との間に延びる第２テーブルトップ側部支持部（２６）と、
を含み、
前記テーブル上壁（２１、２２）は、前記第１テーブルトップ側部支持部（２４）および前記第２テーブルトップ側部支持部（２６）に支持される、
または、
前記テーブルトップ構造（２０）は、
前記第１テーブルトップ側部を形成し、前記第１テーブルトップ端部（２７）と前記第２テーブルトップ端部（２９）との間に延びる第１テーブルトップ側部支持部（２４）、および前記第２テーブルトップ側部を形成し、前記第２テーブルトップ端部（２７）と前記第２テーブルトップ端部（２９）との間に延びる第２テーブルトップ側部支持部（２６）と、
前記第１テーブルトップ端部（２７）を形成し、前記第１テーブルトップ側部（２４）と前記第２テーブルトップ側部（２６）との間に延びる第１テーブルトップ端部支持部（１６）、および前記第２テーブルトップ端部を形成し、前記第１テーブルトップ側部（２４）と前記第２テーブルトップ側部（２６）との間に延びる第２テーブルトップ端部支持部（１７）と、
を含み、
前記テーブル上壁（２１、２２）は、前記第１テーブルトップ端部支持部（１６）および前記第２テーブルトップ端部支持部（１７）に、および前記第１テーブルトップ側部支持部（２４）および前記第２テーブルトップ側部支持部（２６）に、支持される、
請求項１または２に記載のゲームテーブル（２）。
【請求項４】
前記第１テーブル側壁（３０）および前記第２テーブル側壁（３２）のうちの少なくとも１つは、
剛性材料、または、
可撓性材料、または、
弾性材料、
で形成される、
請求項１に記載のゲームテーブル（２）。
【請求項５】
前記第１および前記第２テーブル側壁構造（３０，３２）は、前記テーブルトップ構造（２０）から下方に延びるテーブル支持脚（１２、１４）を含む、
または、
前記第１および前記第２テーブル側壁構造（３０，３２）は、前記テーブルトップ構造（２０）から下方に延びるテーブル支持脚（１２、１４）を含み、
前記第１および前記第２テーブル側壁構造（３０，３２）は、前記テーブル支持脚（１２、１４）それぞれ、第１および第２テーブルトップ端部（２７，２９）により前記第１および前記第２開口部（１０２，１０４）を画定するよう、第１および第２テーブルトップ端部（２７，２９）に連結されて設けられた１つのテーブル支持脚（１２、１４）を含む、
請求項１から４のいずれか１項に記載のゲームテーブル（２）。
【請求項６】
前記第１前記第２テーブル側壁（３０，３２）はそれぞれ、前記テーブル支持脚（１２、１４）に連結され、前記第１および前記第２テーブル側壁（３０，３２）は、前記チャネル状のゲーム空間（１００）のテーブル側壁表面を形成する、
または、
前記第１および前記第２テーブル側壁（３０，３２）はそれぞれ、前記テーブル支持脚（１２、１４）に、および前記第１および前記第２テーブルトップ側部支持部（２４，２６）に連結され、前記第１および前記第２テーブル側壁（３０，３２）は、前記チャネル状のゲーム空間（１００）のテーブル側壁表面を形成する、
請求項５に記載のゲームテーブル（２）。
【請求項７】
前記ゲームテーブル（２）は、
前記テーブルトップ構造（２０）に連結されて設けられた第１テーブル端部フレーム（１２、１４、１６、１８）であって、前記ゲーム空間（１００）の前記第１開口部（１０２）を画定するＵ字状の形状を有し、前記テーブル支持脚（１２、１４）および前記第１テーブルトップ端部（２７）を形成するよう配置された第１テーブル端部フレーム（１２、１４、１６、１８）と、
前記テーブルトップ構造（２０）に連結されて設けられた第２テーブル端部フレーム（１２、１４、１６、１８）であって、前記ゲーム空間（１００）の前記第２開口部（１０４）を画定するＵ字状の形状を有し、前記テーブル支持脚（１２、１４）および前記第２テーブルトップ端部（２９）を形成するよう配置された第２テーブルトップ端部フレーム（１２、１４、１６、１８）と、
を含む、
または、
前記ゲームテーブル（２）は、
前記テーブルトップ構造（２０）に連結されて設けられた第１テーブル端部フレーム（１２、１４、１６、１８）であって、前記ゲーム空間（１００）の前記第１開口部（１０２）を画定する円周形状を有し、前記テーブル支持脚（１２、１４）および前記第１テーブルトップ端部（２７）を形成するよう配置された第１テーブル端部フレーム（１２、１４、１６、１８）と、
前記テーブルトップ構造（２０）に連結されて設けられた第２テーブル端部フレーム（１２、１４、１６、１８）であって、前記ゲーム空間（１００）の前記第２開口部（１０４）を画定する円周形状を有し、前記テーブル支持脚（１２、１４）および前記第２テーブルトップ端部（２９）を形成するよう配置された第１テーブル端部フレーム（１２、１４、１６、１８）と、
を含む、
請求項１から６のいずれか１項に記載のゲームテーブル（２）。
【請求項８】
前記チャネル状のゲーム空間（１００）の底面を形成する底面構造（９０）、または、
前記チャネル状のゲーム空間（１００）の底面を形成し、底壁を含む底面構造（９０）、または、
前記チャネル状のゲーム空間（１００）の底面を形成する底面構造（９０）であって、前記テーブル側壁（３０、３２）が連結された底面構造（９０）、
を含む、
請求項１から７のいずれか１項に記載のゲームテーブル（２）。
【請求項９】
脚でボールゲームを行うことにより運動するためのゲーム装置（６）であって、
シースルーテーブル上面を備え、第１テーブルトップ端部（２７）と、第２テーブルトップ端部（２９）と、第１テーブルトップ側部（２４）と、第２テーブルトップ側部（２６）と、を有し、前記第１および第２テーブルトップ側部（２４，２６）は、前記第１および第２テーブルトップ端部（２７，２９）の間に延びるテーブルトップ構造（２０）と、前記テーブルトップ構造（２０）から下方に延びる第１テーブル側壁構造（３０）および前記テーブルトップ構造（２０）から下方に延びる第２テーブル側壁構造（３２）と、を含むゲームテーブル（２）、
を備えたゲーム装置（６）において、
前記第１および第２テーブル側壁構造（３０，３２）は、前記テーブルトップ構造（２０）とともにチャネル状のゲーム空間（１００）を形成するように配置され、前記チャネル状のゲーム空間（１００）は、前記チャネル状のゲーム空間（１００）の両端の第１開口部（１０２）および第２開口部（１０４）を有し、
前記シースルーテーブル上面は、前記チャネル状のゲーム空間（１００）へのシースルー構造を提供するよう配置され、
前記ゲーム装置（６）は、前記チャネル状のゲーム空間（１００）の前記第１開口部（１０２）に連結して配置された第１シート（４）と、前記チャネル状のゲーム空間（１００）の前記第２開口部（１０４）に連結して配置された第２シート（５）と、を含み、
前記第１シート（４）および前記第２シート（５）は、
座面を形成するよう配置されたシートトップ構造（７０）であって、第１シートトップ端部（７４）と、第２シートトップ端部（７６）と、第１シートトップ側部（７１）と、第２シートトップ側部（７３）と、を有するシートトップ構造（７０）と、
前記シートトップ構造（７０）から下方に延びる第１シート側壁（８２）と、前記シートトップ構造（７０）から下方に延びる第２シート側壁（８４）と、前記シートトップ構造（７０）から下方に延びるシート後壁（８０）と、
を含み、
前記第１シートトップ側部（７１）および前記第２シートトップ側部（７３）は、前記第１シートトップ端部（７４）と前記第２シートトップ端部（７６）との間に延び、前記第１シートトップ端部（７４）は前記チャネル状のゲーム空間（１００）に向かって配置され、
前記第１シート側壁（８２）および前記第２シート側壁（８４）は、前記シートトップ構造（７０）および前記シート後壁（８０）とともにゴール空間（１１０）を形成するよう配置され、前記ゴール空間（１１０）は前記チャネル状のゲーム空間（１００）に向かってゴール開口部（１１２）を有する、
ゲーム装置（６）。
【請求項１０】
前記第１および前記第２シート（４，５）は、前記シートトップ構造（７０）の下に配置されるシート底面構造（９１、９２、９３、９４）を含み、
前記シート底面構造（９１、９２、９３、９４）は、上向きに立ち上がる表面（９２、９４）を含む、
または、
前記第１および前記第２シート（４，５）は、前記シートトップ構造（７０）の下に配置されるシート底面構造（９１、９２、９３、９４）を含み、
前記シート底面構造（９１、９２、９３、９４）は、前記シートトップ構造（７０）の下、および前記シート側壁（８２、８４）の間に延びるシート底壁（９１、９３）を含み、
前記シート底壁（９１、９３）は、上向きに立ち上がる表面（９２、９４）を含む、
請求項８または９に記載のゲーム装置（６）。
【請求項１１】
脚部開口部（１０６）が、前記第１および前記第２シート（４，５）の前記シートトップ構造（７０）と前記チャネル状のゲーム空間（１００）の両端に配置された前記テーブルトップ構造（２０）との間に配置されるように、前記チャネル状のゲーム空間（１００）の前記第１および前記第２開口部（１０２，１０４）の高さは、前記第１および前記第２シート（４，５）の高さよりも高い、
請求項９または１０に記載のゲーム装置（６）。
【請求項１２】
前記第１および前記第２シート（４，５）は、前記ゲームテーブル（２）に連結されるまたは固定される、
または、
前記第１および前記第２シート（４，５）は前記ゲームテーブル（２）に機械的に連結されるまたは固定される、
または、
前記第１および前記第２シート（４，５）は、前記ゲームテーブル（２）に解放可能に連結されるまたは固定される、
または、
前記ゲーム装置（６）は、前記ゲームテーブル（２）に前記第１および前記第２シート（４，５）を固定するための機械的固定要素（５０、５２、５３、５４、５５、５６）を含む、
請求項９から１１のいずれか１項に記載のゲーム装置（６）。
【請求項１３】
前記ゲームテーブル（２）は、請求項１から８のいずれか１項に記載のゲームテーブルである、
請求項９から１２のいずれか１項に記載のゲーム装置（６）。
【国際調査報告】
2021508573.tif 000008
2021508573.tif 000009
2021508573.tif 000010